(57)【要約】【課題】暗い環境下や、表示画像を鑑賞しながらであっても、遠隔操作装置によって容易に指示を行うことが可能な画像表示装置、プロジェクタ、及び画像表示装置の制御方法を提供する。【解決手段】機能選択モードに移行すると、制御部は、表示画像Ｐの上部に機能選択ガイドＧを重畳させる。機能選択ガイドＧの左端には、項目名（例えば、「再生」）が表記されている。項目名の右側には、操作可能な操作キー（左右の方向キー及び決定キー）とそれに対応する指示内容等が表記されており、表記されている操作キーを操作することによって、それに対応する指示内容を選択（指定）可能であることを示している。プロジェクタ本体は、全部で５つの機能選択ガイドを表示可能になっており、ユーザは上下の方向キーを操作することによって、表示（重畳）する機能選択ガイドＧを順次切り替えることができる。【選択図】図７
2009118300.tif 000002
【特許請求の範囲】
【請求項１】
画像を表示する表示部を備えた装置本体と、前記装置本体に対して遠隔操作で指示を行うための遠隔操作装置と、を有する画像表示装置であって、
前記遠隔操作装置は、
それぞれに個別の指示内容が割り当てられた複数の機能キーと、
複数の方向を指定可能な方向キーと、
前記方向キーの近傍に配置された補助キーと、
操作されたキーに対応する制御情報を送信する送信部と、
を備え、
前記装置本体は、
前記送信部から送信される前記制御情報を受信する受信部と、
前記受信部で受信された前記制御情報に基づいて、当該装置本体の制御を行う制御部と、
を備え、
前記制御部は、前記機能キーに割り当てられている複数の前記指示内容の中から、前記方向キーのみの操作、或いは前記方向キー及び前記補助キーの操作によって１つの指示内容を選択させるとともに、選択された前記指示内容に基づく制御を行うことを特徴とする画像表示装置。
【請求項２】
請求項１に記載の画像表示装置であって、
前記制御部は、前記指示内容を選択させる際に、前記指示内容の選択を案内するガイド画像を前記表示部に表示させることを特徴とする画像表示装置。
【請求項３】
請求項１又は２に記載の画像表示装置であって、
前記方向キーは、前記機能キーとは異なる形状を有していることを特徴とする画像表示装置。
【請求項４】
請求項１〜３のいずれか１項に記載の画像表示装置であって、
前記方向キーは、前記機能キーと隔てられて配置されていることを特徴とする画像表示装置。
【請求項５】
請求項１〜４のいずれか１項に記載の画像表示装置であって、
前記補助キーは、前記方向キーに囲まれて配置されていることを特徴とする画像表示装置。
【請求項６】
請求項１〜５のいずれか１項に記載の画像表示装置であって、
前記装置本体は、記録媒体に記録された情報を読み出して当該情報に基づく画像を前記表示部に表示させる画像再生部をさらに備えたことを特徴とする画像表示装置。
【請求項７】
請求項１〜６のいずれか１項に記載の画像表示装置であって、
周囲の明るさを検出する輝度検出部をさらに備え、
前記制御部は、前記輝度検出部の検出結果が所定の明るさよりも暗いことを示す場合に、前記複数の指示内容の中から、前記方向キーのみの操作、或いは前記方向キー及び前記補助キーの操作によって１つの指示内容を選択させることを特徴とする画像表示装置。
【請求項８】
画像を投写する画像投写部を備えたプロジェクタ本体と、前記プロジェクタ本体に対して遠隔操作で指示を行うための遠隔操作装置と、を有するプロジェクタであって、
前記遠隔操作装置は、
それぞれに個別の指示内容が割り当てられた複数の機能キーと、
複数の方向を指定可能な方向キーと、
前記方向キーの近傍に配置された補助キーと、
操作されたキーに対応する制御情報を送信する送信部と、
を備え、
前記プロジェクタ本体は、
前記送信部から送信される前記制御情報を受信する受信部と、
前記受信部で受信された前記制御情報に基づいて、当該プロジェクタ本体の制御を行う制御部と、
を備え、
前記制御部は、前記機能キーに割り当てられている複数の前記指示内容の中から、前記方向キーのみの操作、或いは前記方向キー及び前記補助キーの操作によって１つの指示内容を選択させるとともに、選択された前記指示内容に基づく制御を行うことを特徴とするプロジェクタ。
【請求項９】
画像を表示する表示部を備えた装置本体と、前記装置本体に対して遠隔操作で指示を行うために、それぞれに個別の指示内容が割り当てられた複数の機能キー、複数の方向を指定可能な方向キー、及び前記方向キーの近傍に配置された補助キーを備えた遠隔操作装置と、を有する画像表示装置の制御方法であって、
前記機能キーに割り当てられている複数の前記指示内容の中から１つの指示内容を選択させるべく、前記指示内容の選択を案内するガイド画像を前記表示部に表示させるガイド画像表示ステップと、
前記方向キーのみの操作、或いは前記方向キー及び前記補助キーの操作によって、前記指示内容を選択させる指示内容選択ステップと、
前記指示内容選択ステップで選択された前記指示内容に基づいて、前記装置本体の制御を行う制御ステップと、
を備えたことを特徴とする画像表示装置の制御方法。
【発明の詳細な説明】
【技術分野】
【０００１】
本発明は、装置本体と、前記装置本体に対して遠隔操作で指示を行うための遠隔操作装置とを有する画像表示装置、プロジェクタ、及び画像表示装置の制御方法に関する。
【背景技術】
【０００２】
近年、プロジェクタ等の画像表示装置の多機能化に伴って、装置本体を遠隔操作するためのリモコンには、多数のキーが備わるようになっている。特に、特許文献１に記載のプロジェクタのように、ＤＶＤ（Digital Versatile Disc）再生装置等を一体的に備えた画像表示装置の場合には、画像の再生やその停止に関わるキーもリモコンに備えられており、１つのリモコンで様々な指示を行うことが可能になっている。
【０００３】
【特許文献１】特開２００５−９９６１７号公報
【発明の開示】
【発明が解決しようとする課題】
【０００４】
しかしながら、リモコンに備わるキーの数が多くなるほど、キーの識別が困難になり、ユーザが目的のキー（操作すべきキー）の位置を認識するまでに長い時間を要してしまったり、目的のキーとは異なるキーを操作してしまったりするという問題を有している。特に、プロジェクタで画像を鑑賞する場合のように、比較的暗い環境下で画像を鑑賞している場合には、キーの認識（識別）は一層困難になる。また、リモコンを操作する際には視線をリモコンに移す必要があるため、画像の鑑賞中にリモコンを操作する場合には、目的のキーを認識するまで画像の鑑賞が中断されてしまうことになる。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、画像を表示する表示部を備えた装置本体と、前記装置本体に対して遠隔操作で指示を行うための遠隔操作装置と、を有する画像表示装置であって、前記遠隔操作装置は、それぞれに個別の指示内容が割り当てられた複数の機能キーと、複数の方向を指定可能な方向キーと、前記方向キーの近傍に配置された補助キーと、操作されたキーに対応する制御情報を送信する送信部と、を備え、前記装置本体は、前記送信部から送信される前記制御情報を受信する受信部と、前記受信部で受信された前記制御情報に基づいて、当該装置本体の制御を行う制御部と、を備え、前記制御部は、前記機能キーに割り当てられている複数の前記指示内容の中から、前記方向キーのみの操作、或いは前記方向キー及び前記補助キーの操作によって１つの指示内容を選択させるとともに、選択された前記指示内容に基づく制御を行うことを特徴とする。
【０００７】
この画像表示装置によれば、方向キーのみの操作、或いは方向キーと補助キーの操作によって、機能キーに割り当てられている複数の指示内容の中から所望の指示を行うことができるため、指示内容を瞬時に識別することが困難な機能キーを操作することなく、様々な指示を行うことが可能になる。この結果、暗い環境下や、画像を鑑賞しながらであっても、遠隔操作装置によって容易に指示を行うことが可能となる。
【０００８】
［適用例２］上記適用例に係る画像表示装置において、前記制御部は、前記指示内容を選択させる際に、前記指示内容の選択を案内するガイド画像を前記表示部に表示させることが望ましい。
【０００９】
この画像表示装置によれば、指示内容の選択を案内するガイド画像が表示部に表示されるため、ユーザは、容易に所望の指示内容を選択することが可能となる。
【００１０】
［適用例３］上記適用例に係る画像表示装置において、前記方向キーは、前記機能キーとは異なる形状を有していることが望ましい。
【００１１】
この画像表示装置によれば、方向キーが機能キーとは異なる形状を有しているため、手探りでも容易に方向キーを識別することが可能となる。このため、暗い環境下での操作や、画像を鑑賞しながらの操作がさらに容易になる。
【００１２】
［適用例４］上記適用例に係る画像表示装置において、前記方向キーは、前記機能キーと隔てられて配置されていることが望ましい。
【００１３】
この画像表示装置によれば、方向キーが機能キーと隔てられて配置されているため、手探りでも容易に方向キーを識別することが可能となる。このため、暗い環境下での操作や、画像を鑑賞しながらの操作がさらに容易になる。
【００１４】
［適用例５］上記適用例に係る画像表示装置において、前記補助キーは、前記方向キーに囲まれて配置されていることが望ましい。
【００１５】
この画像表示装置によれば、補助キーが方向キーに囲まれて配置されているため、手探りでも容易に補助キーを識別することが可能となる。このため、暗い環境下での操作や、画像を鑑賞しながらの操作がさらに容易になる。
【００１６】
［適用例６］上記適用例に係る画像表示装置において、前記装置本体は、記録媒体に記録された情報を読み出して当該情報に基づく画像を前記表示部に表示させる画像再生部をさらに備えることが望ましい。
【００１７】
この画像表示装置によれば、画像再生部に対する指示内容をも方向キーや補助キーで行うことが可能となるため、利便性が向上する。
【００１８】
［適用例７］上記適用例に係る画像表示装置において、周囲の明るさを検出する輝度検出部をさらに備え、前記制御部は、前記輝度検出部の検出結果が所定の明るさよりも暗いことを示す場合に、前記複数の指示内容の中から、前記方向キーのみの操作、或いは前記方向キー及び前記補助キーの操作によって１つの指示内容を選択させることが望ましい。
【００１９】
この画像表示装置によれば、周囲が暗い場合に、方向キーや補助キーによって指示内容を選択できるようにしているため、暗い環境下における遠隔操作装置の操作が容易になる一方、周囲が明るい場合には、方向キーや補助キーに他の指示内容を割り当てることが可能となる。
【００２０】
［適用例８］本適用例に係るプロジェクタは、画像を投写する画像投写部を備えたプロジェクタ本体と、前記プロジェクタ本体に対して遠隔操作で指示を行うための遠隔操作装置と、を有するプロジェクタであって、前記遠隔操作装置は、それぞれに個別の指示内容が割り当てられた複数の機能キーと、複数の方向を指定可能な方向キーと、前記方向キーの近傍に配置された補助キーと、操作されたキーに対応する制御情報を送信する送信部と、を備え、前記プロジェクタ本体は、前記送信部から送信される前記制御情報を受信する受信部と、前記受信部で受信された前記制御情報に基づいて、当該プロジェクタ本体の制御を行う制御部と、を備え、前記制御部は、前記機能キーに割り当てられている複数の前記指示内容の中から、前記方向キーのみの操作、或いは前記方向キー及び前記補助キーの操作によって１つの指示内容を選択させるとともに、選択された前記指示内容に基づく制御を行うことを特徴とする。
【００２１】
このプロジェクタによれば、方向キーのみの操作、或いは方向キーと補助キーの操作によって、機能キーに割り当てられている複数の指示内容の中から所望の指示を行うことができるため、指示内容を瞬時に識別することが困難な機能キーを操作することなく、様々な指示を行うことが可能になる。この結果、暗い環境下や、表示部が表示する画像を鑑賞しながらであっても、遠隔操作装置によって容易に指示を行うことが可能となる。
【００２２】
［適用例９］本適用例に係る画像表示装置の制御方法は、画像を表示する表示部を備えた装置本体と、前記装置本体に対して遠隔操作で指示を行うために、それぞれに個別の指示内容が割り当てられた複数の機能キー、複数の方向を指定可能な方向キー、及び前記方向キーの近傍に配置された補助キーを備えた遠隔操作装置と、を有する画像表示装置の制御方法であって、前記機能キーに割り当てられている複数の前記指示内容の中から１つの指示内容を選択させるべく、前記指示内容の選択を案内するガイド画像を前記表示部に表示させるガイド画像表示ステップと、前記方向キーのみの操作、或いは前記方向キー及び前記補助キーの操作によって、前記指示内容を選択させる指示内容選択ステップと、前記指示内容選択ステップで選択された前記指示内容に基づいて、前記装置本体の制御を行う制御ステップと、を備えたことを特徴とする。
【００２３】
この制御方法によれば、方向キーのみの操作、或いは方向キーと補助キーの操作によって、機能キーに割り当てられている複数の指示内容の中から所望の指示を行うことができるため、指示内容を瞬時に識別することが困難な機能キーを操作することなく、様々な指示を行うことが可能になる。この結果、暗い環境下や、表示部が表示する画像を鑑賞しながらであっても、遠隔操作装置によって容易に指示を行うことが可能となる。
【００２４】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２５】
以下、画像表示装置の実施形態として、画像をスクリーンや壁面等に投写して表示するプロジェクタについて説明する。本実施形態のプロジェクタは、ＤＶＤを再生可能なＤＶＤ再生部を備えており、ＤＶＤメディアに記録されている情報に基づく画像を投写することが可能になっている。
【００２６】
図１は、本実施形態のプロジェクタの斜視図である。
図１に示すように、プロジェクタ１は、装置本体としてのプロジェクタ本体２と、プロジェクタ本体２に対して遠隔操作で指示を行う遠隔操作装置としてのリモコン３とを備えて構成されている。プロジェクタ本体２は、外装を構成する筐体４によって覆われた構成を有しており、筐体４の前面４ｆには、外部のスクリーン等に画像（画像光）を投写する投写レンズ１３が露出している。また、筐体４の前面４ｆには、記録媒体であるＤＶＤメディアを挿入するためのディスクスロット５や、リモコン３から送信される赤外線の点滅信号を受信するための受信部２３が設けられており、筐体４の上面４ｔには、プロジェクタ１に対して各種指示を行うための複数の操作キー（操作ボタン）を備えた操作パネル２２が設けられている。
【００２７】
図２は、プロジェクタ本体２の回路構成を示すブロック図である。
図２に示すように、プロジェクタ本体２は、画像投写部１０、制御部２０、記憶部２１、操作パネル２２、受信部２３、ＤＶＤ再生部２４、画像処理部２５、ＯＳＤ処理部２６、光源制御部２７、音声処理部２８、音声出力部２９、スピーカ３０等を備えている。
【００２８】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００３１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ本体２の動作を統括制御する。つまり、制御部２０は、記憶部２１とともにコンピュータとして機能する。また、制御部２０には、時間の計測を行う計時部としてのタイマ２０ａが備えられている。
【００３２】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ本体２の動作を制御するための制御プログラムや、プロジェクタ本体２の動作条件等を規定する各種設定データ等が記憶されている。
【００３３】
操作パネル２２は、ユーザからの入力操作を受け付ける入力操作部に相当するものであり、電源のオン・オフを切り替えるための電源キー等、ユーザがプロジェクタ本体２に対して各種指示を行うための複数の操作キーを備えている。ユーザが操作パネル２２の各種操作キーを操作すると、操作パネル２２は、ユーザの操作内容に応じた操作信号を制御部２０に出力する。
【００３４】
受信部２３は、リモコン３から赤外線の点滅信号として送信される各種制御情報を制御部２０に伝達するものであり、受光装置やデコーダ（いずれも図示せず）等で構成されている。受信部２３は、点滅信号を受光装置によって受光して電気信号に変換した後、デコーダによって復調して制御部２０に出力する。
【００３５】
ＤＶＤ再生部２４は、記録媒体（ＤＶＤメディアＭ）に記録されているＤＶＤコンテンツを再生する。具体的には、ＤＶＤ再生部２４は、制御部２０の制御に基づいて、ディスクスロット５に挿入されたＤＶＤメディアＭをスピンドルモータ（図示せず）で回転させるとともに、光ピックアップ（図示せず）を走査して、ＤＶＤメディアＭに記録されている情報（データストリーム）を順次読み取る。さらに、ＤＶＤ再生部２４は、読み取ったデータストリームを画像信号と音声信号とに分離する処理や、分離した画像信号や音声信号をデコード（復号化）する処理等を行い、処理後の画像信号を画像処理部２５に出力し、処理後の音声信号を音声処理部２８に出力する。
【００３６】
画像処理部２５は、制御部２０の制御に基づいて、ＤＶＤ再生部２４から入力される画像信号から、液晶ライトバルブ１２Ｒ，１２Ｇ，１２Ｂの各画素の階調を表す画像情報、即ち各画素に印加する駆動電圧を規定するための画像情報を生成する。なお、プロジェクタ本体２は、アスペクト比やズーム状態が異なる複数の画面モードで画像を表示可能になっており、画像処理部２５は、画像情報を生成するにあたって、指定された画面モードで画像が表示されるように、例えば、不要な領域を黒色とする（光透過率を最小とする）処理や画像を拡縮させる処理等も行う。さらに、画像処理部２５は、制御部２０の制御に基づいて、生成した画像情報に対して、明るさ、コントラスト、シャープネス、色合い等を調整するための処理等を行う。画像処理部２５で各種処理がなされた画像情報は、ＯＳＤ処理部２６に出力される。
【００３７】
ＯＳＤ処理部２６は、制御部２０の制御に基づいて、メニュー画像やメッセージ画像等のＯＳＤ（オンスクリーンディスプレイ）画像を、表示している画像（表示画像）上に重畳するための処理を行う。ＯＳＤ処理部２６は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２６は、必要なＯＳＤ画像情報をＯＳＤメモリから読み出し、表示画像の所定の位置にＯＳＤ画像が重畳されるように、画像処理部２５から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２６は、画像処理部２５から出力される画像情報を、そのままライトバルブ駆動部１４に出力する。
【００３８】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００３９】
光源制御部２７は、制御部２０の制御に基づいて、光源１１に対する電力の供給と停止とを制御し、光源１１の点灯及び消灯を切り替える。
【００４０】
音声処理部２８は、制御部２０の制御に基づいて、ＤＶＤ再生部２４から入力される音声信号に、その出力特性を調整するための処理（例えば、音量レベルを調整する処理や音質を調整する処理等）を施す。音声処理部２８で調整処理がされた音声信号は、音声出力部２９に出力される。
【００４１】
音声出力部２９は、図示しない増幅回路等を備えており、音声処理部２８で調整処理がなされた音声信号に基づく音声をスピーカ３０から出力する。
【００４２】
次に、リモコン３について説明する。
図３は、リモコン３の平面図であり、図４は、リモコン３の回路構成を示すブロック図である。
図３に示すように、リモコン３は、操作パネル２２とともにユーザからの入力操作を受け付ける入力操作部に相当するものであり、複数の操作キーを備えている。これらの操作キーは、それぞれに個別の指示内容（機能）が割り当てられている多数の機能キー４１と、上下左右の４方向を指定可能な４つの方向キー４２（上方向キー４２ａ、下方向キー４２ｂ、左方向キー４２ｃ、右方向キー４２ｄ）と、補助キーとしての１つの決定キー４３とで構成されている。
【００４３】
機能キー４１としては、電源のオン・オフを切り替えるための電源キー、表示画像の画面モード（アスペクト比等）を切り替えるための画面キー、ＤＶＤコンテンツの再生及びその静止（一時停止）を切り替えるための再生キー、ＤＶＤコンテンツの再生を停止させるための停止キー、チャプターやトラック単位でコンテンツを進めたり戻したりするためのスキップキー、音声の音量を大きくするための音量（＋）キー、音声の音量を小さくするための音量（−）キー、音声出力の停止（消音）とその解除を切り替えるための消音キー、ＤＶＤコンテンツに複数の言語の音声が含まれる場合に、音声モード（再生すべき言語）を切り替えるための音声キー、ＤＶＤコンテンツに字幕が含まれる場合に、字幕モード（字幕の表示の有無や字幕の言語）を切り替えるための字幕キー等が含まれる。
【００４４】
また、４つの方向キー４２は、メニュー画像上での項目を選択する際等に用いられ、決定キー４３は、メニュー画像上で選択された項目を確定させる際等に用いられる。ここで、４つの方向キー４２及び決定キー４３は、リモコン３の略中央に、機能キー４１とは隔てられて配置されており、決定キー４３は、４つの方向キー４２の近傍に、それぞれに囲まれるように配置されている。また、機能キー４１及び決定キー４３は、平面視で略矩形或いは円形であるのに対して、方向キー４２のそれぞれは略三角形になっている。
【００４５】
図４に示すように、リモコン３は、上記の操作キー（多数の機能キー４１、４つの方向キー４２、１つの決定キー４３）に加えて、制御部６０、記憶部６１、キー検出部６２、送信部６３等を備えて構成されている。
【００４６】
制御部６０は、ＣＰＵ等からなり、記憶部６１に記憶されている制御プログラムに従って動作することによりリモコン３の動作を統括制御する。記憶部６１は、ＲＯＭ又はＲＡＭにより構成され、リモコン３の動作を制御するための制御プログラムや各種データ等を記憶する。
【００４７】
キー検出部６２は、各操作キーが押下（操作）されたことを検出して、押下された操作キーに応じた検出信号を制御部６０に出力する。制御部６０は、キー検出部６２から検出信号が入力されると、入力された検出信号に対応する制御情報、即ち押下された操作キーに対応する制御情報を生成して送信部６３に出力する。
【００４８】
送信部６３は、赤外線通信用のエンコーダや赤外線発光装置（いずれも図示せず）等で構成され、制御部６０から入力される制御情報をエンコーダで変調し、赤外線発光装置により赤外線の点滅信号として外部に送信する。
【００４９】
次に、プロジェクタ本体２の動作について説明する。
プロジェクタ本体２に商用電源が供給されると、プロジェクタ本体２はスタンバイ状態となり、制御部２０は、操作パネル２２或いはリモコン３に備わる電源キーの操作を待機する。そして、ユーザによって電源キーが操作されると、制御部２０は、各種初期化処理を行うとともに、光源制御部２７に指示をして光源１１を点灯させ、プロジェクタ本体２をオン状態に移行させる。プロジェクタ本体２がオン状態になると、ユーザは、リモコン３の操作キーを操作することによって、プロジェクタ本体２に様々な指示を行うことができる。
【００５０】
図５は、リモコン３の操作キーが操作された場合のプロジェクタ本体２の動作を説明するためのフローチャートである。
ユーザによってリモコン３の操作キーが操作され、プロジェクタ本体２の受信部２３が、操作された操作キーに応じた制御情報をリモコン３から受信すると、制御部２０は、図５に示すフローに従って動作する。
【００５１】
図５に示すように、ステップＳ１０１では、制御部２０は、受信部２３で受信した制御情報に基づいて、操作された操作キーが機能キー４１であるか否かを判断する。そして、操作された操作キーが機能キー４１である場合にはステップＳ１０２に移行し、機能キー４１でない場合、即ち方向キー４２又は決定キー４３が操作された場合にはステップＳ１０３に移行する。
【００５２】
機能キー４１が操作されてステップＳ１０２に移行した場合には、制御部２０は、操作された機能キー４１に応じた処理（制御）、即ちユーザの指示に応じた処理（制御）を行ってフローを終了する。例えば、ディスクスロット５にＤＶＤメディアＭが挿入された状態で、機能キー４１の１つである再生キーが操作された場合には、制御部２０は、ＤＶＤ再生部２４に指示をして、ＤＶＤメディアＭからの情報の読み取り、即ちＤＶＤコンテンツの再生を開始させる。この結果、画像投写部１０からＤＶＤコンテンツの画像が投写され、スピーカ３０からＤＶＤコンテンツの音声が出力される。また、ＤＶＤコンテンツを再生している状態で、機能キー４１の１つである音量（＋）キーが操作された場合には、制御部２０は、音声処理部２８に対して音量レベルを上げる指示を行う。この結果、スピーカ３０から出力される音声の音量は大きくなる。
【００５３】
一方、方向キー４２又は決定キー４３が操作されてステップＳ１０３に移行した場合には、制御部２０は、機能選択モードに移行し、図６に示すサブルーチン（機能選択処理）を実行した後にフローを終了する。ここで、機能選択モードとは、プロジェクタ本体２に対する指示内容、即ちプロジェクタ本体２に実施させるべき機能を、方向キー４２及び決定キー４３の操作によって選択（指定）可能な動作状態であり、機能選択モードに移行すると、ユーザは、機能キー４１を操作することなく、方向キー４２及び決定キー４３の操作のみによって、機能キー４１を操作した場合と同様の指示を行うことが可能になる。
【００５４】
図６は、機能選択モードに移行した場合のプロジェクタ本体２の動作を説明するためのフローチャート、即ち機能選択モードに移行した場合に実行されるサブルーチンのフローチャートである。また、図７及び図８（ａ）〜（ｅ）は、機能選択モードに移行した場合のプロジェクタ本体２の動作を説明するための説明図である。
【００５５】
図６に示すように、ステップＳ２０１では、制御部２０は、ＯＳＤ処理部２６に指示をして、表示画像Ｐの上部に機能選択ガイドＧを重畳させる（図７参照）。機能選択ガイドＧは、横に細長い帯状のＯＳＤ画像であり、１行分の文字列を表示可能なっている。機能選択ガイドＧの左端には、項目名（例えば、「再生」）が表記されている。そして、項目名の右側には、操作可能な操作キーとそれに対応する指示内容等が表記されており、表記されている操作キーを操作することによって、それに対応する指示内容を選択（指定）可能であることを示している。つまり、機能選択ガイドＧは、指示内容の選択を案内するガイド画像に相当する。また、図８（ａ）〜（ｅ）に示すように、本実施形態のプロジェクタ本体２は、全部で５つの機能選択ガイドＧ１〜Ｇ５を表示可能になっており、後述するように、ユーザは上下の方向キー４２ａ，４２ｂを操作することによって、表示（重畳）する機能選択ガイドＧを切り替えることができる。
【００５６】
図８（ａ）に示すように、項目名が「再生」である機能選択ガイドＧ１には、「○」で表される決定キー４３を操作することによってＤＶＤコンテンツの再生と一時停止との切り替えが可能であること、及び「←」と「→」で表される左右の方向キー４２ｃ，４２ｄを操作することによってスキップ動作（チャプターやトラック単位での再生位置の移動）が可能であることが示されている。
【００５７】
また、図８（ｂ）に示すように、項目名が「音量」である機能選択ガイドＧ２には、項目名の右側の括弧内に、現在設定されている音量レベルの値が表記されており、その右側には、決定キーを操作することによって消音（音声出力の停止）とその解除との切り替えが可能であること、及び左右の方向キー４２ｃ，４２ｄを操作することによって音量レベルの調整が可能であることが示されている。
【００５８】
また、図８（ｃ）〜（ｅ）に示すように、項目名が「音声」、「字幕」、或いは「画面」である機能選択ガイドＧ３，Ｇ４，Ｇ５には、項目名の右側の括弧内に、現在設定されているモード（音声モード、字幕モード、画面モード）が表記されており、その右側には、左右の方向キー４２ｃ，４２ｄを操作することによって他のモードへの切り替えが可能であることが示されている。
【００５９】
なお、機能選択ガイドＧ２〜Ｇ５の括弧内に表記されている音量レベル、音声モード、字幕モード、及び画面モード等の現在の設定情報は、制御部２０が備えるＲＡＭに記憶されており、制御部２０は、機能キー４１の操作等によって各種指示を受けると、その指示に応じた制御を行うとともに、ＲＡＭに記憶している設定情報を必要に応じて更新する。また、制御部２０は、ＯＳＤ処理部２６に機能選択ガイドＧ２〜Ｇ５の表示を指示する際には、これらの設定情報をＲＡＭから読み出してＯＳＤ処理部２６に出力し、ＯＳＤ処理部２６が、入力される設定情報に応じた文字列（画像）を括弧内に表示する。
【００６０】
図６に戻って、ステップＳ２０２では、制御部２０は、タイマ２０ａをリセットして、タイマ２０ａによる計時を開始する。
【００６１】
続くステップＳ２０３では、制御部２０は、受信部２３で受信される制御情報に基づいて、リモコン３の上下の方向キー４２ａ，４２ｂが操作されたか否かを判断する。そして、上下の方向キー４２ａ，４２ｂが操作された場合にはステップＳ２０４に移行し、操作されていない場合にはステップＳ２０５に移行する。
【００６２】
上下の方向キー４２ａ，４２ｂが操作されてステップＳ２０４に移行した場合には、制御部２０は、ＯＳＤ処理部２６に指示をして、表示する機能選択ガイドＧを切り替えさせる。例えば、図８（ａ）〜（ｅ）に示すように、制御部２０は、下方向キー４２ｂが操作された場合には、Ｇ１→Ｇ２→Ｇ３→…→Ｇ５→Ｇ１→…の順で次の機能選択ガイドＧに切り替えさせ、上方向キー４２ａが操作された場合には、Ｇ１→Ｇ５→Ｇ４→…→Ｇ１→Ｇ５→…の順で次の機能選択ガイドＧに切り替えさせる。機能選択ガイドＧを切り替えた後、制御部２０は、ステップＳ２０２に戻り、タイマ２０ａをリセットして計時を再開させ、ステップＳ２０３にて再度上下の方向キー４２ａ，４２ｂが操作されたか否かを判断する。
【００６３】
ステップＳ２０３において上下の方向キー４２ａ，４２ｂが操作されずにステップＳ２０５に移行した場合には、制御部２０は、受信部２３で受信される制御情報に基づいて、リモコン３の左右の方向キー４２ｃ，４２ｄ、又は決定キー４３が操作されたか否かを判断する。そして、左右の方向キー４２ｃ，４２ｄ、又は決定キー４３が操作された場合にはステップＳ２０６に移行し、操作されていない場合にはステップＳ２０７に移行する。
【００６４】
左右の方向キー４２ｃ，４２ｄ、又は決定キー４３が操作されてステップＳ２０６に移行した場合には、制御部２０は、その時点で表示されている機能選択ガイドＧに従った処理（制御）を行う。具体的には、機能選択ガイドＧ１が表示されている状態で決定キー４３が操作された場合には、制御部２０は、ＤＶＤ再生部２４に指示をしてＤＶＤコンテンツの再生（再生中の場合は一時停止）を行わせ、左右の方向キー４２ｃ，４２ｄが操作された場合には、ＤＶＤ再生部２４に指示をしてスキップ動作を行わせる。また、機能選択ガイドＧ２が表示されている状態で決定キー４３が操作された場合には、制御部２０は、音声処理部２８に指示をして消音とその解除とを切り替えさせ、左右の方向キー４２ｃ，４２ｄが操作された場合には、音声処理部２８に音量レベルの増減を指示する（左方向キー４２ｃの操作で音量レベルを減少させ、右方向キー４２ｄの操作で音量レベルを増大させる）。また、機能選択ガイドＧ３又は機能選択ガイドＧ４が表示さされている状態で左右の方向キー４２ｃ，４２ｄが操作された場合には、制御部２０は、ＤＶＤ再生部２４に指示をしてＤＶＤコンテンツの音声モードや字幕モードを切り替えさせる。また、機能選択ガイドＧ５が表示されている状態で左右の方向キー４２ｃ，４２ｄが操作された場合には、制御部２０は、画像処理部２５に指示をして画面モードを切り替えさせる。なお、機能選択ガイドＧ３〜Ｇ５が表示されている状態で決定キー４３が操作された場合には、制御部２０は、当該ステップＳ２０６をスキップする。
【００６５】
制御部２０は、上記のような処理を行うとともに、ＲＡＭに記憶している設定情報を必要に応じて更新した後、ステップＳ２０１に戻って更新後の設定情報を含んだ機能選択ガイドＧを表示させる。なお、機能選択ガイドＧに表記される設定情報（音量レベルや各種モード）に変更がない場合には、ステップＳ２０２に戻るようにしてもよい。
【００６６】
ステップＳ２０５において左右の方向キー４２ｃ，４２ｄ、及び決定キー４３のいずれも操作されずにステップＳ２０７に移行した場合には、制御部２０は、タイマ２０ａの計時結果に基づいて、ステップＳ２０２で計時を開始（再開）してからの経過時間、即ち方向キー４２や決定キー４３が操作されない時間が所定時間（例えば、５秒）に達したか否かを判断する。そして、所定時間に達した場合にはステップＳ２０８に移行し、所定時間に達していない場合にはステップＳ２０３に戻る。
【００６７】
ステップＳ２０８に移行した場合には、制御部２０は、タイマ２０ａによる計時を停止し、続くステップＳ２０９では、ＯＳＤ処理部２６に機能選択ガイドＧの表示（重畳）を終了させて、図５に示したフローへ復帰する。これにより機能選択モードは解除され、これ以降、リモコン３の操作キーが操作された場合には、図５に示したフローに従って動作する。
【００６８】
以上説明したように、本実施形態のプロジェクタ１によれば、以下の効果を得ることができる。
【００６９】
（１）本実施形態のプロジェクタ１によれば、ＤＶＤコンテンツの再生中におけるスキップ動作や、音量レベルの調整、或いは音声モード、字幕モード、画面モードの切り替えを、方向キー４２ａ，４２ｂ，４２ｃ，４２ｄのみの操作によって指示することが可能となる。また、ＤＶＤコンテンツの再生と一時停止との切り替えや、消音とその解除との切り替えを、上下の方向キー４２ａ，４２ｂと決定キー４３の操作によって指示することが可能となる。つまり、方向キー４２のみの操作、或いは方向キー４２と決定キー４３の操作によって、機能キー４１に割り当てられている複数の指示内容の中から所望の指示を行うことができるため、指示内容を瞬時に識別することが困難な機能キー４１を操作することなく、様々な指示を行うことが可能になる。この結果、暗い環境下や、表示画像Ｐを鑑賞しながらであっても、リモコン３によって容易に指示を行うことが可能となる。
【００７０】
（２）本実施形態のプロジェクタ１によれば、ユーザに指示内容を選択させる際、表示画像Ｐ上に、指示内容と、この指示内容を選択するために操作すべき操作キーとの対応を表記した機能選択ガイドＧを重畳させるようにしているため、ユーザは、容易に所望の指示内容を選択することが可能となる。
【００７１】
（３）本実施形態のプロジェクタ１によれば、方向キー４２が機能キー４１とは異なる形状を有しているため、手探りでも容易に方向キーを識別することが可能となる。このため、暗い環境下での操作や、表示画像Ｐを鑑賞しながらの操作がさらに容易になる。
【００７２】
（４）本実施形態のプロジェクタ１によれば、４つの方向キー４２が機能キー４１と隔てられて配置されているため、手探りでも容易に方向キー４２を識別することが可能となる。このため、暗い環境下での操作や、表示画像Ｐを鑑賞しながらの操作がさらに容易になる。
【００７３】
（５）本実施形態のプロジェクタ１によれば、決定キー４３が４つの方向キー４２に囲まれて配置されているため、手探りでも容易に決定キー４３を識別することが可能となる。このため、暗い環境下での操作や、表示画像Ｐを鑑賞しながらの操作がさらに容易になる。
【００７４】
（変形例）
また、前記実施形態は、以下のように変更してもよい。
【００７５】
前記実施形態において、周囲の明るさを検出する輝度検出部３１（図９参照）をプロジェクタ本体２に備え、輝度検出部３１の検出結果が所定の明るさよりも暗い場合にのみ、制御部２０が機能選択モードに移行させるようにしてもよい。この構成によれば、機能キー４１の操作が困難な暗い環境下におけるリモコン３の操作が容易になる一方、周囲が明るい場合には、方向キー４２や決定キー４３に他の指示内容を割り当てることが可能となる。なお、図９に示した回路構成は、輝度検出部３１を備えたこと以外は、前記実施形態の回路構成（図２参照）と同一である。また、投写レンズ１３から投写される画像光の影響を抑制するために、輝度検出部３１を筐体４の背面側に備えることが望ましい。
【００７６】
前記実施形態では、５つの機能選択ガイドＧ１〜Ｇ５を切り替えて表示する構成を示しているが、切り替え可能な機能選択ガイドＧの数は５つに限られず、５つ未満でも６つ以上でもよい。
【００７７】
前記実施形態では、上下の方向キー４２ａ，４２ｂで機能選択ガイドＧを切り替えて、左右の方向キー４２ｃ，４２ｄ及び決定キー４３で指示内容を選択（指定）させているが、左右の方向キー４２ｃ，４２ｄで機能選択ガイドＧを切り替えて、上下の方向キー４２ａ，４２ｂ及び決定キー４３で指示内容を選択させるようにしてもよい。
【００７８】
前記実施形態では、機能選択モードに移行した際に、表示画像Ｐ上に機能選択ガイドＧを重畳させるようにしているが、機能選択ガイドＧが表示画像Ｐを隠すことがないように、機能選択ガイドＧを表示する際には、表示画像Ｐを縮小させるようにしてもよい。
【００７９】
前記実施形態では、ＤＶＤコンテンツを再生可能なＤＶＤ再生部２４を備えた構成を示しているが、ＤＶＤメディアＭ以外の他の記録媒体に記録された画像を再生可能な画像再生部を備えるようにしてもよいし、外部の画像出力装置から入力される画像信号に基づく画像を投写（表示）する構成であってもよい。
【００８０】
前記実施形態では、リモコン３とプロジェクタ本体２とが赤外線により通信を行う態様を示しているが、赤外線以外の光通信であってもよいし、電波や超音波等を用いた通信方式を採用してもよい。
【００８１】
前記実施形態では、４つの方向キー４２のそれぞれは、平面視で略三角形の形状になっているが、方向キー４２の形状は三角形に限定されない。例えば、図１０（ａ）に示すように、４つの方向キー４２ａ，４２ｂ，４２ｃ，４２ｄで略環状となるように、各方向キー４２を略１／４円弧状とし、円形の決定キー４３をその環内に備えるようにしてもよい。また、方向キー４２は４つに分離された構成に限られず、例えば、図１０（ｂ）に示すように、１つの方向キー４２に対して異なる位置を操作（押下）することによって、上下や左右を指定可能な構成にすることも可能である。この場合、決定キー４３は、方向キー４２の外側に配置するようにしてもよい。また、図１０（ｃ）に示すように、方向キー４２が、機能キー４１と略同一の形状（略矩形）の場合であっても、機能キー４１と隔てて配置することや、機能キー４１より大きなサイズにすることにより、機能キー４１と混同することを抑制でき、手探りでも識別可能となる。
【００８２】
前記実施形態では、機能選択モードにおいて、４つの方向キー４２と１つの決定キー４３を操作することによって所望の指示内容を指定可能な態様を示しているが、すべての指示内容を方向キー４２のみで指定できる態様にしてもよい。
【００８３】
前記実施形態では、方向キー４２の近傍に配置される操作キー（補助キー）は決定キー４３のみであるが、複数の補助キーを方向キー４２の近傍に配置して、方向キー４２と複数の補助キーの操作によって指示内容を指定できるようにしてもよい。ただし、補助キーを手探りで正確に識別するためには、補助キーの数は少ないほうが望ましい。
【００８４】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８５】
前記実施形態では、光源１１は、放電型の光源ランプ１１ａによって構成されているが、ＬＥＤ光源等の固体光源や、その他の光源を用いることもできる。
【００８６】
前記実施形態では、プロジェクタ１を例にして説明しているが、透過型のスクリーンを一体的に備えたリアプロジェクタ、或いは、ＣＲＴ（陰極線管）ディスプレイ、液晶ディスプレイ、プラズマディスプレイ、ＳＥＤ（Surface-conduction Electron-emitter Display）、有機ＥＬ（Electro Luminescence）ディスプレイ等、他の画像表示装置に適用することも可能である。ただし、前記実施形態のようにプロジェクタ１に適用した場合には、暗い環境、即ちリモコン３の機能キー４１の操作が困難な環境で使用される頻度が高いため、方向キー４２及び決定キー４３のみで指示できることがより一層効果的になる。
【図面の簡単な説明】
【００８７】
【図１】プロジェクタの斜視図。
【図２】プロジェクタ本体の回路構成を示すブロック図。
【図３】リモコンの平面図。
【図４】リモコンの回路構成を示すブロック図。
【図５】リモコンの操作キーが操作された場合のプロジェクタ本体の動作を説明するためのフローチャート。
【図６】機能選択モードに移行した場合のプロジェクタ本体の動作を説明するためのフローチャート。
【図７】機能選択モードに移行した場合のプロジェクタ本体の動作を説明するための説明図。
【図８】（ａ）〜（ｅ）は、機能選択モードに移行した場合のプロジェクタ本体の動作を説明するための説明図。
【図９】変形例に係るプロジェクタの回路構成を示すブロック図。
【図１０】（ａ）〜（ｃ）は、変形例に係るリモコンの方向キー及び決定キーを示す平面図。
【符号の説明】
【００８８】
１…プロジェクタ、２…プロジェクタ本体、３…リモコン、４…筐体、５…ディスクスロット、１０…画像投写部、１１…光源、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…操作パネル、２３…受信部、２４…ＤＶＤ再生部、２５…画像処理部、２６…ＯＳＤ処理部、２７…光源制御部、２８…音声処理部、２９…音声出力部、３０…スピーカ、４１…機能キー、４２…方向キー、４３…決定キー、６０…制御部、６１…記憶部、６２…キー検出部、６３…送信部、Ｇ…機能選択ガイド、Ｍ…ＤＶＤメディア、Ｐ…表示画像、ＳＣ…スクリーン。
【図１】
2009118300.tif 000003
【図２】
2009118300.tif 000004
【図３】
2009118300.tif 000005
【図４】
2009118300.tif 000006
【図５】
2009118300.tif 000007
【図６】
2009118300.tif 000008
【図７】
2009118300.tif 000009
【図８】
2009118300.tif 000010
【図９】
2009118300.tif 000011
【図１０】
2009118300.tif 000012